(57)【特許請求の範囲】
【請求項１】
開口部(6)を有する本体(2)と、該本体(2)の開口部(6)を開閉する蓋体(8)と、該蓋体(8)を前記本体(2)の後端縁に回動変位可能に結合するヒンジ片(13)と、前記蓋体(8)の閉姿勢および開姿勢を自己保持すべく、前記ヒンジ片(13)の両外側直近の、前記本体(2)と蓋体(8)との間に連設された、蛇腹状の弾力片(14)と、前記本体(2)および蓋体(8)の前記弾力片(14)の両外側直近に、前記蓋体(8)の閉姿勢で、前記本体(2)と蓋体(8)の合わせ面に関して略面対称となって、前記弾力片(14)の外側端面を覆って位置し、かつ表面を円滑にしてそれぞれ突出設された保護片(15)と、から構成されたヒンジ構造。
【請求項２】
本体(2) を、壜体の口筒に密に組付けられるキャップ(1) の本体部分とした請求項１記載のヒンジ構造。
【発明の詳細な説明】
【０００１】
【産業上の利用分野】
本発明は、開口部を有する本体と、この本体に被冠される蓋体とを連結するヒンジ構造に関するものである。
【０００２】
【従来の技術】
開口部を有する本体に、この開口部を開閉する蓋体を一体に結合する手段として、コンパクト容器とか注出キャップ等に見られるようにヒンジ構造が多用されている。
【０００３】
これは、蓋体の回動変位により、本体の開口部の開閉がワンタッチで簡単にかつ確実に達成できること、また特に壜体に組付け使用される注出キャップにあっては、開放状態で、壜体の実質的な開閉を達成する蓋体の紛失する恐れが全くないこと、等の理由による。
【０００４】
この本体と蓋体とをヒンジ結合する構成としては、本体と蓋体とをヒンジ片で一体に結合する手段と、蝶番構造を利用する手段とがあるが、本体および蓋体の構造の簡略化および組立工数の削減そして一つの製品を製造するに要する経費等の点から、ヒンジ片によるヒンジ結合がその主流を占めている。
【０００５】
ヒンジ片による本体と蓋体との結合は、本体および蓋体の後端縁に、突出先端間を肉薄片で一体に連結したヒンジ片を一体設して達成され、両ヒンジ片の先端間を連結する肉薄片部分が屈曲変形して、蓋体の本体に対する開閉のための回動軸芯を提供している。
【０００６】
また、蓋体の閉姿勢および開姿勢を自己保持させるために、ヒンジ片に隣接して、本体と蓋体との間に弾力片を連設した、いわゆる三点ヒンジ構造が知られている。
【０００７】
ところで、上記ヒンジ構造は、ヒンジ片の連結された先端間部分を屈曲させる構造となっているので、蓋体の閉姿勢において、突出したヒンジ片の先端に屈曲した先端間部分が位置し、この屈曲した先端間部分の両外側端がその屈曲変形により鋭利であるので、取扱い時に指先等を傷付ける等の不快な思いをすることがしばしば生じている。
【０００８】
特に、シャンプーとか洗剤を収容する壜体に組付け使用される注出キャップの場合には、濡れた手で壜体を取扱うことが多く、この際、壜体が滑って上記した事故の発生することが多かった。
【０００９】
そこで、このようなヒンジ片の鋭利な屈曲先端角部による危険性を防止する目的で、図６に示すような三点ヒンジ構造が提案されている。この三点ヒンジ構造は、本体２と蓋体８の後端縁中央部を一つのヒンジ片１３で連結し、このヒンジ片１３の両側に、蓋体の閉姿勢および開姿勢を自己保持させるための一対の蛇腹状の弾力片１４（図３参照）を配設して構成されている。
【００１０】
この三点ヒンジは、蓋体８を閉姿勢とした場合に形成される、ヒンジ片１３の鋭利な屈曲先端角部の両外側に、鋭利な角部を有しない蛇腹状の弾力片１４を位置させ、これによりヒンジ片１３の鋭利な角部による危険性を防止することを意図したものである。
【００１１】
【発明が解決しようとする課題】
しかしながら、実際に上記した三点ヒンジ構造を実施したところ、蓋体８の閉姿勢時において、蛇腹状の弾力片１４が十分に屈曲変形し難いため、この弾力片１４の後方への突出度が予想以上に大きくなり（図４参照）、そのために、この弾力片１４の先端の外側縁部が、肌または他の物体に引っ掛かって傷を付ける恐れがあるという問題が生じた。
【００１２】
そこで、本発明は、上記した従来技術における問題点を解消すべく創案されたもので、弾力片の引っ掛かりを無くすことを技術的課題とし、もって取扱い時の充分な安全性を確保することを目的とする。
【００１３】
【課題を解決するための手段】
上記課題を解決する本発明の手段は、
開口部を有する本体を有すること、
この本体の開口部を開閉する蓋体を有すること、
この蓋体を本体の後端縁に回動変位可能に結合するヒンジ片を有すること、
蓋体の閉姿勢および開姿勢を自己保持すべく、ヒンジ片の両外側直近の、本体と蓋体との間に連設された、蛇腹状の弾力片を有すること、
本体および蓋体の弾力片の両外側直近に、蓋体の閉姿勢で、本体と蓋体の合わせ面に関して略面対称となって、弾力片の外側端面を覆って位置し、かつ表面を円滑にしてそれぞれ突出設された保護片を有すること、
にある。
【００１４】
本体を、壜体の口筒に密に組付けられるキャップの本体部分とするのが好適である。
【００１５】
【作用】
蓋体が閉姿勢になると、後方へ突出するヒンジ片の両外側直近に、このヒンジ片の両外側端面を覆った状態で弾力片が突出位置し、さらにこの弾力片の両外側直近に、この弾力片の両外側端面を覆った状態で保護片が突出位置するので、ヒンジ片の鋭利な屈曲先端角部および弾力片の屈曲先端縁部が肌または他の物体に引っ掛かることがない。
【００１６】
また、保護片は、その表面が円滑に成形されているので、例え肌または他の物体がこの保護片に強く押付けられるような事態が生じても、この押付けられた肌または他の物体に引っ掛かって傷を付けると云う危険は全くない。
【００１７】
【実施例】
以下、本発明の一実施例を図１〜５を参照しながら説明する。
図示実施例は、本発明を壜体の注出キャップ１として構成した場合を示すもので、壜体の口筒外周に螺合組付けされる本体２は、筒形状の筒壁３の上端に頂壁４を連設し、この頂壁４の中央に注出筒５を起立設して開口部６を形成し、筒壁３の後面の上端部に一対の切欠き７を形成した構成となっている。
【００１８】
蓋体８は、短筒形状の筒壁９の上端に頂壁１０を連設し、この頂壁１０の下面中央に、本体２の注出筒５に密に外嵌する密閉筒１１を垂下設し、筒壁９の後面の下端部に一対の切欠き１２を形成して構成されている。
【００１９】
この本体２と蓋体８とをヒンジ結合する三点ヒンジは、本体２の筒壁３の後面上端の切欠き７間の部分と、蓋体８の筒壁９の後面下端の切欠き１２間の部分との間に連結成形されたヒンジ片１３と、切欠き７の下端と切欠き１２の上端との間に連結成形された一対の蛇腹状の弾力片１４と、本体２および蓋体８の弾力片１４の両外側直近に、蓋体８の閉姿勢で、組合わさって弾力片１４の外側端面全域を覆う大きさで、かつ表面を円滑にした状態でそれぞれ突出設された保護片１５とから構成されている。
【００２０】
この本体２側および蓋体８側に設けられた保護片１５は、図４に示すように、蓋体８の閉姿勢で、本体２と蓋体８の合わせ面に関して略面対称となっており、対向した両保護片１５の大きさが略等しくなるようにすることにより、両保護片１５の一体付形を容易にすると共に、突出した保護片１５が、蓋体８の開閉回動動作の邪魔とならないようにしている。
【００２１】
この三点ヒンジにおける弾力片１４は、図１、図２、図３図示の姿勢で成形されたものであるので、蓋体８が図１、図２、図３図示の開姿勢から図４図示の閉姿勢に回動するのを、その弾力により阻止する。このため、図１、図２、図３図示の開姿勢となった蓋体８は、妄りに閉姿勢方向に回動変位することがなく、その開姿勢が保持される。
【００２２】
この開姿勢から弾力片１４の弾力に逆らって蓋体８を閉方向に回動させると、弾力片１４は伸び変形して死点を越えた後、再び屈曲縮み変形して、図４、図５に示した蓋体８の閉姿勢を保持する。
【００２３】
図４、図５に示すように、注出キャップ１の閉状態において、各弾力片１４の外側端面全域は、表面が円滑な保護片１５により覆われることになるので、弾力片１４の突出端外側の縁部が肌とか他の物体に引っ掛かることが殆ど不可能となり、これにより注出キャップ１を組付けた壜体の取扱いは安全なものとなる。
【００２４】
【発明の効果】
本発明は上記した構成となっているので、以下に示す効果を奏する。
蓋体の閉姿勢時に、後方へ突出するヒンジ片の両外側直近に、このヒンジ片の両外側端面を覆った状態で弾力片が突出位置し、さらにこの弾力片の両外側直近に、この弾力片の両外側端面全域を覆った状態で、表面を円滑とした保護片が突出位置するので、ヒンジ片の鋭利な屈曲先端角部および弾力片の屈曲先端縁部が肌または他の物体に引っ掛かることがなく、これにより三点ヒンジ結合された本体と蓋体との組合せ物の取扱いを安全なものとすることができる。
【００２５】
保護片は、本体と蓋体との両方に設けられるので、この保護片により弾力片外側端面全域を確実に覆うことが容易となり、これにより取扱い時の安全性の確保が達成し易くなる。
【００２６】
弾力片の外側端面全域を覆う大きさの保護片は、本体と蓋体との両方に設けられるので、両保護片が組合さった状態で弾力片の外側端面を覆うものとなれば良く、このため弾力片に比べて個々の保護片の大きさは小さいものとなり、これにより保護片の一体付形が容易となる。
【図面の簡単な説明】
【図１】本発明の一実施例を示す、開状態の平面図。
【図２】図１のＡ−Ａ線断面矢視図。
【図３】図１のＢ−Ｂ線断面矢視図。
【図４】図１図示実施例の閉状態を示す要部拡大側面図。
【図５】図１図示実施例の閉状態を示す背面図。
【図６】従来例を示す、開状態の平面図。
【符号の説明】
１  ；  注出キャップ
２  ；  本体
３  ；  筒壁
４  ；  頂壁
５  ；  注出筒
６  ；  開口部
７  ；  切欠き
８  ；  蓋体
９  ；  筒壁
１０；  頂壁
１１；  密閉筒
１２；  切欠き
１３；  ヒンジ片
１４；  弾力片
１５；  保護片
【図１】
0003640221.tif 000002
【図２】
0003640221.tif 000003
【図３】
0003640221.tif 000004
【図４】
0003640221.tif 000005
【図５】
0003640221.tif 000006
【図６】
0003640221.tif 000007